(57)【要約】【課題】本発明は構造が簡単で部品点数が少なく、製作コストが低く、実際に使用する現場の人員が容易に補修・調整できる構造を持つ、商品を自動的に前面に移動する陳列器具に関するものである。【解決手段】折り曲げた状態を形状維持することが可能な薄い板状の素材を、陳列する商品の大きさに適した寸法で裁断し、折り曲げるという２工程で作成した本体部と、前述の方法で作成した商品前出しのための商品用台座部と、商品前出しの駆動力として輪ゴムやゴム紐を用いる簡素な部品構成で、輪ゴムの取り替えやサイズ変更などによって、ゴム切れなどの故障の補修や、陳列する商品の数量や重量などに応じた商品前出しに必要な力加減の調節を可能にした自動前出し陳列器具。【選択図】図１
2015134122.tif 000002
【特許請求の範囲】
【請求項１】
折り曲げた状態を形状維持することが可能な薄い板状の素材を、陳列する商品の大きさに適した寸法で裁断し、折り曲げるという二つの工程で作成した本体部と、前述の方法で作成した商品前出しのための商品用台座部と、商品前出しの駆動力として輪ゴムやゴム紐を用いる簡素な部品構成で、輪ゴムの取り替えやサイズ変更などによって、ゴム切れなどの故障の補修や、陳列する商品の数量や重量などに応じた商品前出しに必要な力加減の調節を可能にした自動前出し陳列器具。
【発明の詳細な説明】
【技術分野】
【０００１】
本発明は構造が簡単で部品点数が少なく、製作コストが低く、陳列した商品を自動的に前方に移動する機能を持ち、実際に使用する現場の人員が容易に補修や調整ができる構造で、また陳列時に商品のパッケージをより見え易くすることのできる陳列器具に関するものである。
【背景技術】
【０００２】
現在、ドラッグストアやコンビニエンスストアには数多くの商品が陳列・販売されているが、多くの場合システム什器の棚にＬ字板や仕切り板を用いて商品が置かれている場合がほとんどであり、売れた商品の補充や乱れた商品の整頓が人手で行われない場合は商品が棚の奥に入り込んでいたり、時には後ろに倒れてしまって商品が見え難くなっていることがしばしばある。
これを解消する方法としてタバコでは専用のカセット型陳列器具（特許文献１）が流通しているが、金型を必要とするプラスチック成型部品や専用の金属製の板バネや巻きバネを使用しているなど構造的に製造コストが高額なため、商品の大きさがほぼ同じで同じ陳列器具で多くの種類の商品に対応できるタバコのような商品には適しているが、市販されている大きさや形状が異なる様々な商品に小ロットで対応することはコスト面で難しい。
また当発明と同様に専用のバネの用いずにゴムの収縮性を利用することで商品を前方に移動するアイデアもあるが、輪ゴムを直に商品に引掛けていたり（特許文献２）、部品を介してはいるが事実上輪ゴムが商品に直接商品に引掛かっているのと同様である（特許文献３）ものしかなく安定した前出しは難しく、広く使用されているものはない。
【先行技術文献】
【特許文献】
【０００３】
【特許文献１】特願２００６−２６６７３４号公報
【特許文献２】実願Ｕ３０９７７４４号公報
【特許文献３】実願平８−４８１９号公報
【発明の概要】
【発明が解決しようとする課題】
【０００４】
従来より、次のような問題点があった。
（イ）陳列している商品を自動的に前出ししようとする場合、主にタバコ専用のカセット型陳列器具のように高額な金型を必要するプラスチック成型部品や専用の金属バネを使用している製造コストの高い陳列器具しか流通していない。
（ロ）上記のような高コストの陳列器具はある程度の販売数が見込める商品でないと導入することが難しい。
（ハ）自動前出し陳列器具は個々の商品のサイズや重量に適合したものでないとならないため、様々な商品に使用したいと考えた際には従来からある陳列器具では各々に新たな金型や専用バネを作成する必要があるためコストダウンが難しく多種少量生産には不向きである。
（ニ）またタバコ用の陳列器具は専用の什器に組み付けるように設計されており、汎用の什器では使用できない。
（ホ）タバコ以外の商品で使用されているシステム什器の棚には大抵の場合高さが３ｃｍ位の金属製のこぼれ止めかプラスチック製のこぼれ止め兼値札ホルダーが取り付けられており、小さな商品ではパッケージがこぼれ止めの影になり見え難くなっている。
（ヘ）商品に直接輪ゴムを引掛けて前出しする陳列器具の場合、パッケージが小さく軽量な商品では輪ゴムを引掛ける位置が少しずれただけで商品は陳列器具から弾き出されてしまうなど不安定な状態になり、陳列および前出しがスムーズに行われなくなってしまう。
本発明は以上の問題点を解決しようというものである。
【課題を解決するための手段】
【０００５】
上記の課題を解決するために本発明によれば、折り曲げるとその形状維持できる性質の薄い板状の素材を用いて、裁断と折り曲げという二つの工程で簡単に作成できるので、陳列する商品や什器に応じて小ロットで様々なサイズの製品を提供することが容易となる。
また、商品の前出しの動力に金属バネなどの専用部品ではなく輪ゴムを使用することで、ゴム切れで動かなくなってしまったり、前出しする力加減の調節が必要な場合などに使用現場での補修や調整が容易に可能な低コストで作成できる自動前出し陳列器具である。
【発明の効果】
【０００６】
（イ）本発明は市販されている多くの小型軽量な商品に対して使用することができる。
（ロ）従来よりある金型を必要とするプラスチック成型品や専用の金属バネを必要とする陳列器具と比べ低コストでの製造が可能なため、従来では難しかった販売数量の少ない商品や販売促進に費やせる経費の少ない商品にも自動前出し陳列器具を使用することが可能になる。
（ハ）金型を使用せずに、板状の素材を裁断し折り曲げて作成するので多種少量生産が容易である。
（ニ）設計の自由度が高く、様々な什器に対応した製品を作成することができる。
（ホ）陳列商品を底上げできるため、小さなパッケージの商品もこぼれ止めの上面に陳列することができる。
（ヘ）商品用台座部を持ち、小さな商品も安定して前出しすることができる。
（ト）自動前出し陳列器具が容易に使用できるようになれば、陳列場所が什器の高い位置の棚で、棚の奥に入ってしまうと来店客から見えなくなってしまうような場所に並んでいる商品も目に付きやすくなり販売機会が増加する。
（チ）上記のように目視が容易になれば在庫管理も行い易くなり、過剰な発注や期限切れとなる商品の発生を減らすことができるため、商品の廃棄率が下がり、経営面および環境保護面に貢献できる。
【図面の簡単な説明】
【０００７】
【図１】本発明の実施形態の全体を示す斜視図
【図２】本発明の実施形態の商品用台座部を示す斜視図
【図３】本発明の実施形態の本体部を示す斜視図
【図４】本発明の輪ゴムを用いた前出しのための駆動力部の斜視図
【図５】本発明の商品用台座部の展開状態を示す平面図
【図６】本発明の本体部の展開状態を示す平面図
【発明を実施するための形態】
【０００８】
以下、本発明に係る自動前出し陳列器具の代表的な実施形態について図１〜図６を参照しながら詳細に説明する。
【０００９】
陳列する商品が左右にずれないよう保持する「本体部（図３）」と、陳列した最後尾の商品が倒れないように支え、且つ商品が売れた際に陳列器具に残された商品を前方に押し出すための「商品用台座部（図２）」、それを駆動するための動力となる「輪ゴム（符号ケ）」の３種類の部品によって構成される。
【００１０】
本発明の「本体部（図３）」および「商品用台座部（図２）」は、厚さ１ｍｍ程度の薄い板状で、容易に折り曲げることができ、かつ折り曲げ後の形状を維持でき、引っ張り強度の高い、硬質塩化ビニールやＰＥＴ樹脂などの透明な素材を用いて作成する事が望ましい。
【００１１】
前出しの駆動力として輪ゴムやゴム紐などの収縮性のある素材を用いる。
【００１２】
特徴的な構造として、「本体部（図５）」および「商品用台座部（図６）」は一枚の板状素材を裁断と折り曲げだけで形作ることができるものである。
したがって金型などの高額な設備投資を必要とせず、安価で作成することができる構造を持つ。
【００１３】
「本体部（図３）」は商品の前出しをスムーズに行うために、陳列する商品パッケージの幅より若干広めの内寸になるように左右の「側部商品保持用板（符号Ｅ）」の間隔を設定することが望ましい。また「本体部の底面（符号Ｆ）」には、「商品用台座部（図２）」の前出しの動きを安定させる「スライドガイド板（符号Ｊ）」をはめ込むための「台座部のスライドをガイドするための切り抜き（符号オ）」を設ける。また前方下部に「台座部動力用の輪ゴムを掛けるための切り抜きａ、ｂ（符号ア、エ）」および「台座部動力用の輪ゴムを掛けるための動力調整用切り抜きａ、ｂ（符号イ、ウ）」を持つ。
【００１４】
「商品用台座部（図２）」は陳列する商品を倒すことなく前出しするための「商品転倒防止板ａ、ｂ（符号Ｍ、Ｎ）」、「商品用台座部の底板（符号Ｉ）」と、安定した前出しをするための「台座部側の動力用の輪ゴムを掛けるための切り抜き（符号カ）」を設けた「スライドガイド板（符号Ｊ）」で構成される。
また「輪ゴム（符号ケ）」で前出しの駆動力が加わった時に「商品転倒防止板ａ、ｂ（符号Ｍ、Ｎ）」が倒れてしまわないように支えるための「転倒防止板の支持板（符号Ｋ）」で構造を強化する。
【００１５】
本体部の底板に設けた「台座部のスライドをガイドするための切り抜き（符号オ）」に、商品用台座部の「スライドガイド板（符号Ｊ）」を差し込み、本体部の前方下部にある「台座部動力用輪ゴムを掛けるための切り抜きａ、ｂ（符号ア、エ）」と商品台座部の「スライドガイド板（符号Ｊ）」の「台座部側の動力用輪ゴムを掛けるための切り抜き（符号カ）」に「輪ゴム（符号ケ）」を掛けることで陳列商品が前出しされるための駆動力を得る。（図４）
【００１６】
図１を用いて具体的な商品の陳列方法および実際の使用現場での陳列商品の動きについて説明すると、陳列する商品を「値札表示用板（符号Ａ）」の方向から「商品落下防止板（符号Ｃ）」と「商品転倒防止板ａ（符号Ｍ）」の間に挟みこむように詰め込んでいく。輪ゴムの収縮力によって「商品用台座部」は常に「値札表示用板（符号Ａ）」の方向に引き寄せられているため詰め込まれた商品は客の手にとられて数量が減っても自動的に前方に移動する。
【００１７】
本体部側の輪ゴムを掛ける位置を「台座部動力用の輪ゴムを掛けるための切り抜きａ、ｂ（符号ア、エ）」から「台座部動力用の輪ゴムを掛けるための動力調整用切り抜きａ、ｂ（符号イ、ウ）」に変更したり、使用する輪ゴムのサイズの変更したり、複数の輪ゴムを繋げたり、重ねたりするなどにより前方への駆動力が調節できるので、陳列する商品の数量や重量やパッケージの強度などに応じて前出しする力加減を調整することが容易である。
また、駆動力源が輪ゴムなので切れてしまった場合の交換修理も非常に容易である。
【００１８】
一般的なシステム什器の棚の前面には商品の落下防止のために高さ３ｃｍほどのこぼれ止めが用いられていることが多く、小ぶりな商品ではパッケージの半分以上がこぼれ止めに隠れてしまう。
本発明では「前面底上げ板(符号Ｄ)」と「後方底上げ板（符号Ｇ）」を設けることで、こぼれ止めより上に露出するパッケージの面積を増やすことができるため来店客への商品の視認性を向上させることができる。
【符号の説明】
【００１９】
Ａ    値札表示用板
Ｂ    システム什器のこぼれ止めを跨ぐためのマチ
Ｃ    商品落下防止板
Ｄ    前方底上げ板
Ｅ    側方商品保持用板
Ｆ    本体部の底板
Ｇ    後方底上げ板
Ｈ    後方底上げ板の底板
Ｉ    商品用台座部の底板
Ｊ    スライドガイド板
Ｋ    転倒防止板の支持板
Ｌ    転倒防止板の支持板の固定用折り返し部
Ｍ    商品転倒防止板ａ
Ｎ    商品転倒防止板ｂ
１    山折り線
２    山折り線
３    谷折り線
４    山折り線
５    谷折り線
６    山折り線
７    山折り線
８    山折り線
９    谷折り線
１０    谷折り線
１１    山折り線
１２    山折り線
ア    台座部動力用の輪ゴムを掛けるための切り抜きａ
イ    台座部動力用の輪ゴムを掛けるための動力調整用切り抜きａ
ウ    台座部動力用の輪ゴムを掛けるための動力調整用切り抜きｂ
エ    台座部動力用の輪ゴムを掛けるための切り抜きｂ
オ    台座部のスライドをガイドするための切り抜き
カ    台座部側の動力用の輪ゴムを掛けるための切り抜き
キ    転倒防止板１と転倒防止板２を固定するための切り欠きａ
ク    転倒防止板１と転倒防止板２を固定するための切り欠きｂ
ケ    商品台座部の動力用輪ゴム
【図１】
2015134122.tif 000003
【図２】
2015134122.tif 000004
【図３】
2015134122.tif 000005
【図４】
2015134122.tif 000006
【図５】
2015134122.tif 000007
【図６】
2015134122.tif 000008